(57)【特許請求の範囲】
【請求項１】
浴室床を構成する防水パンと、浴室出入口を構成する建具枠の下枠とを接合する建具枠と防水パンとの接合構造において、
前記防水パンは、前記下枠の浴室側部位が載置される下枠載置片を有し、
前記下枠は、前記浴室側部位との間で前記下枠載置片を挟持する板ばねを有し、
前記板ばねは、前記下枠載置片に前記浴室側部位をセットする動作で前記下枠載置片を挟持装着可能に構成されていることを特徴とする建具枠と防水パンとの接合構造。
【請求項２】
前記板ばねは、前記下枠載置片を挟持するばね本体と、下枠に固定される固定部とを有し、
前記ばね本体には、前記下枠載置片を挟持装着するための傾斜ガイド部が形成されていることを特徴とする請求項１に記載の建具枠と防水パンとの接合構造。
【発明の詳細な説明】
【０００１】
【発明の属する技術分野】
本発明は、浴室の出入口として設けられる建具廻りにおいて、特に浴室の防水パンと建具枠の下枠との接合構造に関するものである。
【０００２】
【従来の技術】
従来、この種の防水パンと建具枠の接合構造では、防水パンの端部に下枠を載置するための載置片部を形成し、この載置片部に建具枠の下枠の全部または一部を載置するようにしている。すなわち、この種の下枠は、その脱衣室側を脱衣室床に固定され（ビス止めあるいは釘止め）され、浴室側を、シール材を介設した状態で防水パンの端部に載置されている（例えば、特許文献１および特許文献２参照。）。
【０００３】
【特許文献１】
特開２００１−１２１５１号公報（図１）
【特許文献２】
特開平９−９６１１５号公報（図２）
【０００４】
【発明が解決しようとする課題】
ところで、浴室廻りでは、防水パン（ユニットバス）および脱衣室床を施工した後、浴室の出入口である浴室建具を施工する手順となり、建具枠（下枠）は、施工された防水パン（浴室床）と脱衣室床との間隙に嵌め込むようにして施工される。
このため、従来の建具枠と防水パンとの接合構造において、下枠の脱衣室側は脱衣室床にビス止め等で固定されるが、浴室側はシール材を介在された状態で防水パン上に載置する構造をとらざるを得ない。
したがって、ユーザが下枠上を歩行するなどして下枠に繰り返し荷重が加わると、その都度、下枠の浴室側が浮き上がり、最終的にシール材の部分に隙間が生じ、水漏れの原因となる問題があった。
【０００５】
本発明は、従前の施工形態を踏襲しつつ施工が容易で、且つ防水パンに対し下枠の浮き上がりを確実に防止することができる建具枠と防水パンとの接合構造を提供することを課題としている。
【０００６】
【課題を解決するための手段】
本発明の建具枠と防水パンとの接合構造は、浴室床を構成する防水パンと、浴室出入口を構成する建具枠の下枠とを接合する建具枠と防水パンとの接合構造において、防水パンは、下枠の浴室側部位が載置される下枠載置片を有し、下枠は、浴室側部位との間で下枠載置片を挟持する板ばねを有し、板ばねは、下枠載置片に浴室側部位をセットする動作で下枠載置片を挟持装着可能に構成されていることを特徴とする。
【０００７】
この構成によれば、防水パンの下枠載置片は、これに載置された下枠の浴室側部位と下枠に設けた板ばねとの間に挟持される。すなわち、板ばねにより、防水パンの下枠載置片と下枠の浴室側部位とが一体化（相互に固定）される。このため、下枠に繰り返し荷重が作用しても、浴室側部位が浮き上がることがない。また、板ばねは、下枠載置片に浴室側部位をセットする動作で下枠載置片を挟持装着するため、予め下枠に板ばねを取り付けておけば、下枠をセットしたときに下枠載置片を自動的に挟持状態とすることができる。
【０００８】
この場合、板ばねは、下枠載置片を挟持するばね本体と、下枠に固定される固定部とを有し、ばね本体には、下枠載置片を挟持装着するための傾斜ガイド部が形成されていることが、好ましい。
【０００９】
この構成によれば、板ばねが下枠載置片を挟持装着するときに、その傾斜ガイド部が挟持装着をガイドするため、板ばねの挟持装着を円滑に行うことができる。
【００１６】
【発明の実施の形態】
以下、添付図面を参照して、本発明の一実施形態に係る建具枠と防水パンとの接合構造について説明する。この浴室は、脱衣室との間に段差を無くしたバリアフリー設計となっており、いわゆるユニットバスとしての浴室と脱衣室との間の出入口には、浴室建具として折戸が取り付けられている。図１は折戸の縦断面図であり、図２はその横断面図である。両図に示すように、折戸１は、出入口開口部を構成する枠体２と、枠体２に開閉自在に支持された障子である扉体３とで構成され、浴室Ａ側をユニットバスに且つ脱衣室Ｂ側を脱衣室の内装材にそれぞれ接合されている。
【００１７】
扉体３は、左扉体３ａと、右扉体３ｂと、これらを突き合わせた状態で中折れ自在に連結する連結部材４とで構成されており、左扉体３ａの戸尻側を中心に右扉体３ｂを枠体２に沿ってスライドさせながら浴室Ａ内に折り込むことで開放され、また逆の手順で開放される。そして、浴室Ａの浴室床を構成する防水パン５と、後述する枠体２の下枠３２と、脱衣室Ｂの脱衣室床（木質床）６とはほぼ面一に、すなわち段差が生じないように配設されている。
【００１８】
左右の各扉体３ａ，３ｂは、それぞれアルミニウムの形材等で構成した上框１１、下框１２および中桟１３に、縦框１４および連結縦框１５を框組みすると共に、これに樹脂製の上下のパネル体１６を組み込んで構成されている。中桟１３には、脱衣室Ｂ側に引手部１８が一体に形成され、浴室Ａ側に引手を兼ねるタオル掛け（右扉体３ｂのみ）１９が取り付けられている。右扉体３ｂの連結縦框１５にはラッチ機構２０が組み込まれ、また左扉体３ａの連結縦框１５には閉塞ロック機構２１が組み込まれている。さらに、各扉体３ａ，３ｂの縦框１４には、後述する上スライダ２４ａを上ガイドレール３６から離脱させる離脱機構２２が、それぞれ組み込まれている。
【００１９】
各扉体３ａ，３ｂの縦框１４には、上下のピンヒンジ（グラビティヒンジ）２３ａ，２３ｂを介して上スライダ２４ａおよび下スライダ２４ｂがそれぞれ取り付けられ、各扉体３ａ，３ｂは、この上スライダ２４ａおよび下スライダ２４ｂにより、枠体２の上ガイドレール３６および下ガイドレール５６に、それぞれスライド自在に支持されている。ただし、片側を開放するために、左扉体３ａの上下両スライダ２４ａ，２４ｂは、上下両ガイドレール３６，５６に固定されている。
【００２０】
枠体２は、それぞれアルミニウムの形材等で構成した上枠３１、下枠３２および両縦枠３３，３３を枠組みして成り、ユニットバスに対し水密に接合されている。上枠３１は、鉛直部分３５ａと水平部分３５ｂとから成る断面略「Ｌ」字状の上枠本体３５と、水平部分３５ｂの浴室Ａ側に下向きに突設した上ガイドレール３６と、水平部分３５ｂの脱衣室Ｂ側に垂設した上シール取付部３７とで、一体に形成されている。同様に、各縦枠３３は、見付け片部分３９ａと見込み片部分３９ｂとから成る断面略「Ｌ」字状の縦枠本体３９と、見込み片部分３９ｂの脱衣室Ｂ側において内側に向かって延設した縦シール取付部４０とで、一体に形成されている。
【００２１】
一方、下枠３２は、浴室Ａ側を防水パン５に支持された下枠本体４１と、下枠本体４１の見込み方向の中間上部に着脱自在に設けた下枠アタッチメント４２と、下枠アタッチメント４２の脱衣室Ｂ側に隣接して下枠本体４１の上部に傾動自在に設けた排水阻止プレート４３と、下枠本体４１の脱衣室Ｂ側端部に揺動自在に設けた脱衣室見切り片４４と、で構成されている。
【００２２】
脱衣室見切り片４４は、下枠３２において脱衣室床６にビス止め固定される部位であり、基部側を下枠本体４１に揺動自在に且つ水密に係合している。これにより、下枠（の上面）３２と脱衣室床６の施工上の高さの相違を吸収できるようになっている。排水阻止プレート４３は、脱衣室Ｂ側基部を下枠本体４１のプレート取付部４６に水密に係合しており、図外の傾動機構により、扉体３の開放時には水平姿勢に、閉塞時には先上がりに傾斜する起立姿勢との間で傾動する。これにより、閉塞状態の扉体３から浴室Ａの排水が漏れ出ることがあっても、これが脱衣室床６に達しないように阻止する。
【００２３】
下枠アタッチメント４２は、後述する下枠本体４１の主排水溝部５３を閉蓋するように設けられており、下枠３２の上面の一部を構成する上水平片４７と、上水平片４７の下面から浴室Ａ側に逆「Ｌ」字状に延びる浅溝片４８とで、一体に形成されている。図示しないが、浅溝片４８には見付け方向に多数の水抜き孔が形成されており、浅溝片４８は、扉体３と下枠３２との間のシールから漏れた排水を受け、これを、水抜き孔を介して主排水溝部５３に流下させる。また、下枠アタッチメント４２を下枠本体４１から取り外すことにより、主排水溝部５３の内部清掃が可能となる。
【００２４】
下枠本体４１は、浴室Ａ側に位置する浴室側中空部５１と、脱衣室Ｂ側に位置する脱衣室側中空部５２と、この両中空部５１，５２間に配設した主排水溝部（排水溝部）５３と、上記のプレート取付部４６と、脱衣室側中空部５２の上側に位置して主排水溝部５３とプレート取付部４６との間に配設した副排水溝部５４と、で一体に形成されている。浴室側中空部５１の上部には、脱衣室Ｂ側に屈曲して延びる下ガイドレール５６と、下ガイドレール５６の直下に位置して主排水溝部５３側に延びるアタッチメント取付部５７が、一体に形成されている。また、主排水溝部５３の下面には、見込み方向のほぼ中間に位置して、後述する板ばね７０を取り付けるためのばね取付片５８が一体に垂設されている。
【００２５】
さらに、脱衣室側中空部５２には、その浴室Ａ側から上方に延在するように、中間支持部５９が一体に立設されており、中間支持部５９の上端に形成した水平受け部５９ａには、その脱衣室Ｂ側半部に上記の排水阻止プレート４３が着座し、浴室Ａ側半部には上記の下枠アタッチメント４２が着座するようになっている。すなわち、排水阻止プレート４３は、水平姿勢の状態において、先端側を中間支持部５９の上端に着座し副排水溝部５４を閉蓋する。また、下枠アタッチメント４２は、浴室Ａ側を下ガイドレール５６とアタッチメント取付部５７との間に遊嵌させた状態で、脱衣室Ｂ側を中間支持部５９の上端に着座して主排水溝部５３を閉蓋している。
【００２６】
副排水溝部５４は、排水阻止プレート４３まで達した排水を受ける部分であり、副排水溝部５４に面して中間支持部５９には、図示しないが多数の排水孔が形成されている。多数の排水孔は見付け方向に並んでおり、副排水溝部５４で受けた排水は、この多数の排水孔から主排水溝部５３に流下する。
【００２７】
主排水溝部５３の下壁と、見込み方向にこれを挟んで配設された浴室側中空部５１および脱衣室側中空部５２の下壁とは、水平に且つ直線状に配設され、下枠本体４１の下壁４１ａを構成している。主排水溝部５３の下壁には、見付け方向の中間位置（または両端部）に排水金具（目皿）６１が水密に取り付けられており、この排水金具６１には排水管６２が接続されている。すなわち、主排水溝部５３で受けた排水は、排水金具６１を介して排水管６２に流下する。
【００２８】
本実施形態では、上述したように、防水パン５の上面と下枠３２の上面と脱衣室床６の上面とが、ほぼ面一に配設されている。このため、防水パン５側から下枠３２に向かって流れてくる排水を、各扉体３ａ，３ｂおよび連結部材４から下ガイドレール５６に密接するように延びるシール部材６３ａ，６３ｂで止水するようにしている。すなわち、浴室Ａの排水は、このシール部材６３ａ，６３ｂにより構成される止水ラインで止水されるが、この止水ラインから漏れた排水（のみ）を、下枠アタッチメント４２の水抜き孔を介して主排水溝部５３で受けるようにしている。
【００２９】
一方、防水パン５は、その床面が幾分湾曲した形状を有しており、下枠３２側の端部には、下枠（下枠本体４１）３２の浴室側部位を支持する断面「Ｌ」字状の下枠載置片７が、一体に形成されている。下枠載置片７は、浴室側中空部５１の側壁が面する垂直片部７ａと、浴室側中空部５１の下壁および主排水溝部５３の下壁の一部が面する水平片部７ｂとから成り、図示しないシール材を介してこれら各壁部分と密接している。すなわち、浴室側中空部５１および主排水溝部５３の一部により、下枠載置片７に載置される下枠３２の浴室側部位が構成されている。
【００３０】
これに対し、上記した下枠本体４１のばね取付片５８には、見付け方向に均等間隔で配置した複数の板ばね（図示では、１個のみ記載）７０が固定されており、この複数の板ばね７０により、浴室側部位との間に下枠載置片７の水平片部７ｂを挟持固定するようになっている。各板ばね７０は、ばね取付片５８の脱衣室Ｂ側に固定（ビス止め）される固定部７１と、固定部７１の下端から横「Ｊ」字状に延びるばね本体７２とで一体に形成されている。
【００３１】
すなわち、ばね本体７２の先端部７２ａにより下枠載置片７の水平片部７ｂを下枠本体４１の下壁４１ａに押し付けるようにして、水平片部７ｂが挟持される。また、ばね本体７２には、先端部７２ａの手前に先上がりに傾斜した傾斜ガイド部７２ｂが連なっており、この傾斜ガイド部７２ｂにより、板ばね７０の挟持装着がガイドされるようになっている（詳細は後述する）。なお、ばね取付片５８は、上記の排水管６２に干渉する部分は切り欠かれており、また各板ばね７０は、排水管６２から見付け方向に外れた位置に配設されている。
【００３２】
実施形態の折戸１の施工では、予め防水パン（ユニットバス）５および脱衣室床６が施工された後、折戸（枠体２）１が施工される。このため、防水パン５と脱衣室床６との間に構成される間隙に下枠３２を嵌合装着するようにしている。具体的には、下枠（枠体２）３２を脱衣室Ｂ側にいったん寄せて上記の間隙に挿入し、この状態で下枠３２を浴室Ａ側に移動させ、その浴室側部位を下枠載置片７にセットする。このとき、ばね取付片５８に取り付けた板ばね７０は、傾斜ガイド部７２に案内されて下枠載置片７に挟持装着される。
【００３３】
このように、板ばね７０を予め下枠３２に取り付けておくことで、枠体（下枠３２）２を防水パン５の下枠載置片７にセットしたときに、板ばね７０が下枠載置片７に挟持装着され、下枠３２が下枠載置片７に自動的に固定される。これにより、ユーザが下枠３２上を歩行しても、その反動で下枠３２が防水パン５から浮き上がることがなく、両者間に設けたシー材が損傷することがない。
【００３４】
次に、図３を参照して、下枠３２廻りの第２実施形態について説明する。第１実施形態と同一となる部分については説明を省略するが、この実施形態では、下枠アタッチメント４２を支持するアタッチメント取付部５７が、下ガイドレール５６の下側に一体に形成され、且つ上記の中間支持部５９が脱衣室側中空部５２の上面の略中間位置に立設されていて、主排水溝部５３の上部が脱衣室Ｂ側に幾分寄っている。また、下枠本体４１が、脱衣室側中空部５２の部分を境に主排水溝部５３と副排水溝部５４とで別体に構成されている。また、主排水溝部５３の浴室Ａ側の溝底には、傾斜部８１が一体に形成されている。さらに、板ばね７０およびばね取付片５８が省略されている。
【００３５】
すなわち、この実施形態では、傾斜部８１の部分から固定ビス８２を斜めに打ち込んで、下枠３２を防水パン５の下枠載置片７に固定するようにしている。なお、固定ビス８２も上記の板ばね７０と同様に、見付け方向に複数本設けられている。傾斜部８１は、ほぼ固定ビス８２の頭部８２ａの径に相当する傾斜幅を有し、その中間位置に固定ビス８２用の貫通孔８１ａが下枠載置部７に向かって斜めに形成されている。また、シールおよび緩み止めを考慮して、固定ビス８２にはＯリング８３が装着されている。
【００３６】
図４に示すように、固定ビス８２のビス打ち作業では、予め下枠アタッチメント４２を取り外した状態で、下枠（枠体２）３２を防水パン５の下枠載置片７に載置するようにしてセットした後、固定ビス８２を専用治具Ｓに装着し、この専用治具Ｓを主排水溝部５３に挿入し、貫通孔８１ａから下枠載置部（水平片部７ｂ）７に固定ビス８２を螺合する。専用治具Ｓは、下面が傾斜しており、主排水溝部５３に挿入セットすると保持した固定ビス８２の先端が、貫通孔８１ａに合致し且つ固定ビス８２を斜めに螺合できるように案内する。
【００３７】
このように、専用治具Ｓを用いることにより、固定ビス８２を斜め方向に簡単且つ確実に打ち込むことができる。また、下枠アタッチメント４２を取り付けることにより、固定ビス８２を下枠３２内に隠蔽することができる。さらに、固定ビス８２の頭部８２ａが位置する傾斜部８１には、主排水溝部５３の溝底に残る水溜まりが接触し難く、上記のＯリング８３と併せてこの部分からの排水の漏れを確実に防止することができる。そして、固定ビス８２により、上記実施形態と同様に、防水パン５の下枠載置片７に下枠（下枠本体４１）３２が固定され、下枠３２の浮き上がりが有効に防止される。
【００３８】
次に、第３および第４実施形態として、下ガイドレールの他の実施形態について説明する。一般的な下ガイドレール５６は、下部がくびれ且つ上端が平坦な断面形状を有している（図１および図３参照）。ところが、図５に示す第３実施形態の下ガイドレール９０は、その上端９１の見込み方向の中間部分９１ａがなだらかな曲線を描いて断面「凹」状に形成されている。言い換えれば、この下ガイドレール９０は、見込み方向の両端部分をそれぞれ凸状部９１ｂ，９１ｂとした断面形状を有しており、扉体３の戸車９３が２点で転接するようになっている。したがって、下ガイドレール９０と戸車９３との間の摺動抵抗が軽減され、扉体３の開閉（スライド）が円滑に行われると共に、下ガイドレール９０の塗膜が経年的に剥がれるなどの支障を生ずることがない。
【００３９】
なお、上記の実施形態では折戸１を例に説明したが、本願発明は、折戸の他、３枚引き戸、２引き戸、片引き戸、浴室ドア等にも適用可能である。そこで、図６を参照して、３枚引き戸１００について、上記の第３実施形態に対応する第４実施形態について説明する。この実施形態では、下枠１０１が、下枠本体１０２と下枠本体１０２の上部に装着した下枠アタッチメント１０３とで構成され、この下枠アタッチメント１０３の上面に、３本の下ガイドレール１０４がシール部材１０５と交互に位置するように形成されている（同図（ａ）参照）。
【００４０】
従来の３枚引き戸１００では、各下ガイドレール１０４の上端１０７は、半円の円弧状断面を有し、これに対応して各扉体１００ａの戸車１０９には、下ガイドレール１０４の半円より幾分太径となる（交差を考慮）断面半円形の戸車溝１０９ａが形成されている。一方、第４実施形態の下ガイドレール１０４の上端１０７は、第３実施形態と同様に、円弧状部分から突出するように一対の凸状部１０７ａ，１０７ａを有している（同図（ｂ）参照）。したがって、この場合も、戸車１０９と下ガイドレール１０４とは２点で接触し両者間の摺動抵抗が軽減され、扉体１００ａの開閉（スライド）が円滑に行われると共に、下ガイドレール１０４の塗膜が剥がれるなどの支障を生ずることがない。
【００４１】
なお、第３および第４実施形態における凸状部９１ｂ，１０７ａは、それぞれ戸車９３，１０９に均一に転接する限り、３個以上（複数）であってもよい。
【００４２】
【発明の効果】
以上のように、本発明の建具枠と防水パンとの接合構造によれば、下枠に設けた板ばねにより、防水パンの下枠載置片と下枠の浴室側部位とが一体化されるため、下枠が浮き上がることがなく、この部分のシール切れ等を有効に防止することができる。また、下枠をセットする動作で板ばねが下枠載置片を挟持装着されるため、従前の施工形態を踏襲しつつ、下枠の防水パンへの固定を極めて簡単に行うことができる。
【００４３】
また、本発明の他の建具枠と防水パンとの接合構造によれば、固定ビスにより、下枠を防水パンの下枠載置片に固定することができため、下枠が浮き上がることがなく、この部分のシール切れ等を有効に防止することができる。また、排水溝部内から固定ビスを螺合する構成であるため、従前の施工形態を踏襲しつつ、下枠の防水パンへの固定を極めて簡単に行うことができる。しかも、固定ビスが、排水溝部の溝底に連なる傾斜部に設けられているため、この部分からの排水の漏れを、極力防止することができる。
【図面の簡単な説明】
【図１】本発明の一実施形態に係る折戸の縦断面図である。
【図２】実施形態に係る折戸の横断面図である。
【図３】第２実施形態に係る折戸の下部を表した縦断面図である。
【図４】固定ビスの取り付け状態を示す拡大断面図である。
【図５】第３実施形態に係る折戸の下ガイドレール廻りの拡大断面図である。
【図６】第４実施形態に係る折戸の下枠廻りの縦断面図（ａ）、下ガイドレール廻りの拡大断面図（ｂ）である。
【符号の説明】
１  折戸、２  枠体、３  扉体、３ａ  左扉体、３ｂ  右扉体、５  防水パン、６  脱衣室床、７  下枠載置片、３２  下枠、４１  下枠本体、４２  下枠アタッチメント、５３主排水溝部、５６  下ガイドレール、５８  ばね取付片、６２  排水管、６３ａシール部材、６３ｂ  シール部材、７０  板ばね、７１  固定部、７２  ばね本体、７２ｂ  傾斜ガイド部、８１  傾斜部、８２  固定ビス、Ａ  浴室、Ｂ  脱衣室
【図１】
0003664440.tif 000002
【図２】
0003664440.tif 000003
【図３】
0003664440.tif 000004
【図４】
0003664440.tif 000005
【図５】
0003664440.tif 000006
【図６】
0003664440.tif 000007